(57)【要約】【課題】集中一括排水システムの床下配管で発生する負圧を即座に常圧に戻し、封水破壊を防止することができる施工の極めて簡単な床下配管の通気構造を提供する。【解決手段】床下の排水管が接続された床下の排水ヘッダー２と屋外の宅内排水桝７を、基礎を貫通する下流側排水管３によって接続し、上記排水ヘッダー２の上部と上記宅内排水桝７の上部を通気管５で連通させた床下配管の通気構造とする。このような通気構造とすると、下流側排水管３が閉塞され、排水ヘッダー２から上流側の排水管路に負圧が生じたとしても、宅内排水桝７から通気管５を通じて排水ヘッダー２に空気が吸い込まれて即座に常圧（大気圧）に戻されるので封水破壊を起こすことがない。また、従来のものより施工は遥かに容易であって、建物の外観が損なわれる心配もない。【選択図】図１
2006016779.tif 000002
【特許請求の範囲】
【請求項１】
床下の排水管が接続された床下の排水ヘッダーと屋外の宅内排水桝を、基礎を貫通する下流側排水管によって接続し、上記排水ヘッダーの上部と上記宅内排水桝の上部を通気管で連通させたことを特徴とする床下配管の通気構造。
【請求項２】
排水ヘッダーの点検口に、通気管の一端を接続したことを特徴とする請求項１に記載の床下配管の通気構造。
【請求項３】
排水ヘッダーの点検口に、気密性を高めるＯリングシールと、通気管の脱落を防止するロックリングを備えた通気管接続口を設け、この通気管接続口に通気管の一端を差込み接続したことを特徴とする請求項２に記載の床下配管の通気構造。
【請求項４】
宅内排水桝の上部に、気密性を高めるＯリングシールと、通気管の脱落を防止するロックリングを備えた通気管接続口を設け、この接続口に通気管の他端を差込み接続したことを特徴とする請求項１ないし請求項３のいずれかに記載の床下配管の通気構造。
【請求項５】
通気管が可撓性を有する管であることを特徴とする請求項１ないし請求項４のいずれかに記載の床下配管の通気構造。
【請求項６】
複数の排水ヘッダーを直列に接続し、各排水ヘッダーの上部同士を通気管で連通させたことを特徴とする請求項１に記載の床下配管の通気構造。
【発明の詳細な説明】
【技術分野】
【０００１】
本発明は、集中一括排水システムの床下配管で発生する負圧を即座に常圧に戻し、封水破壊を防止することができる床下配管の通気構造に関するものである。
【背景技術】
【０００２】
集中一括排水システムの床下配管においては、排水量が増えて配管内の水位が上がると、排水が配管内の曲り部分や段差部分などを閉塞して管内の通気を遮断するため負圧が発生し、この負圧によって洗面台、台所、浴室、トイレなどの水設備からの排水管の封水破壊が生じるという問題があった。
【０００３】
従来より、このような集中一括排水システムの圧力変動を緩和、吸収するために、階上の水設備から排水ヘッダーに至る排水管路の途中に立上がり管を設けて建物の上方に延長し、例えば切り妻屋根の端壁等を貫いて通気管の上端を屋外に露出させることにより対処していた。
【０００４】
しかしながら、上記のように立上がり管を上方に延長して屋外に露出させたものは、通気自在であるため排水管路に負圧が発生しても常圧に戻すことができるとはいうものの、壁面を貫いて立上がり管を屋外に露出させるため、施工が面倒で費用が嵩み、建物の外観が損なわれるという問題があった。また、最近の家屋は、水設備の位置により上記の立上がり管を設置するスペースを確保できない場合もあった。
【０００５】
更に、上記の立上がり管の上端に通気弁を取付けたものもあるが、この通気弁はゴム板を弁体とするものであるため、弁体が排水管路からの湿気でベタベタになり、弁座にくっついてスムーズに作動しなくなったり、弁体が開閉するときのパタパタという音が気になるという問題もあった。しかも、この通気弁を設置するには壁のふかしが必要になるという問題もあった。
【０００６】
一方、排水用床下配管設備において、その排水主管の下流側をバイパス管路付段差接合管路を介して、屋外の排水桝に接続することにより、封水破壊を防止できるようにしたものも知られている（特許文献１）。この排水用床下配管設備は、バイパス管路付段差接合管路が嵩高く、組立てが面倒であり、大きい埋設スペースを必要とするため、施工が容易でないという問題があった。
【特許文献１】特開２００３−１４７８２６号公報
【発明の開示】
【発明が解決しようとする課題】
【０００７】
本発明は上記の問題に対処すべくなされたもので、その目的とするところは、集中一括排水システムの床下配管で発生する負圧を即座に常圧に戻し、封水破壊を防止することができる施工の極めて簡単な床下配管の通気構造を提供することにある。
【課題を解決するための手段】
【０００８】
上記の課題を解決するため、本発明に係る床下配管の通気構造は、床下の排水管が接続された床下の排水ヘッダーと屋外の宅内排水桝を、基礎を貫通する下流側排水管によって接続し、上記排水ヘッダーの上部と上記宅内排水桝の上部を通気管で連通させたことを特徴とするものである。
【０００９】
本発明の床下配管の通気構造においては、排水ヘッダーの点検口に、通気管の一端を接続することが好ましく、特に、排水ヘッダーの点検口に、気密性を高めるＯリングシールと、通気管の脱落を防止するロックリングを備えた通気管接続口を設け、この通気管接続口に通気管の一端を差込み接続することが望ましい。同様に、宅内排水桝の上部に、気密性を高めるＯリングシールと、通気管の脱落を防止するロックリングを備えた通気管接続口を設け、この接続口に通気管の他端を差込み接続することも望ましい。また、通気管は可撓性を有する管であることが好ましい。更に、複数の排水ヘッダーを直列に接続し、各排水ヘッダーの上部同士を通気管で連通してもよい。
【発明の効果】
【００１０】
本発明の床下配管の通気構造は、床下の排水管が接続された床下の排水ヘッダーの上部と上記宅内排水桝の上部を通気管で連通させているため、大量の排水によって下流側排水管が閉塞され、排水ヘッダーから上流側の排水管路に負圧が生じたとしても、宅内排水桝から通気管を通じて排水ヘッダーに空気が吸い込まれて即座に常圧（大気圧）に戻される。従って、ヘッダーから上流側の排水管路に生じた負圧によって、洗面台、台所その他の排水器具のトラップの封水破壊を起こすことがない。しかも、排水ヘッダーの上部と宅内排水桝の上部を通気管で連通させるだけでよいから、特許文献１の排水用床下配管設備のように組立が面倒で大きい埋設スペースが必要なバイパス管路付段差接合管路を介在させるものに比べると、施工が遥かに簡単であり、また、従来のように、立上がり管を設けて、その上端を屋外に露出させるものに比べても、施工は遥かに容易であって、建物の外観が損なわれる心配もない。
【００１１】
また、上記の通気構造において排水ヘッダーの点検口に通気管の一端を接続したものは、排水ヘッダーに新たな接続口を設ける必要がなくなるので、施工性がより一層向上する。
【００１２】
特に、排水ヘッダーの点検口に、気密性を高めるＯリングシールと、通気管の脱落を防止するロックリングを備えた通気管接続口を設け、この通気管接続口に通気管の一端を差込み接続すると、ロックリングで確実に通気管の脱落を防止し、Ｏリングシールで気密性を確保することができ、接続作業もし易くなる。
【００１３】
そして、宅内排水桝の上部に、気密性を高めるＯリングシールと、通気管の脱落を防止するロックリングを備えた通気管接続口を設け、この接続口に通気管の他端を差込み接続しても、上記と同様の効果が得られる。
【００１４】
また、可撓性を有する通気管を使用すると、自由に曲げることができるので、更に施工性が向上する。
【００１５】
一方、排水ヘッダーに接続する排水管が多く、排水ヘッダーが複数必要な場合、複数の排水ヘッダーを直列に接続し、各排水ヘッダーの上部同士を通気管で連通させると、圧力変動が生じても即座に各排水ヘッダーが宅内排水桝と同じ常圧に戻るので、封水破壊を防止することができる。
【発明を実施するための最良の形態】
【００１６】
図１は本発明の一実施形態に係る床下配管の通気構造の説明図、図２は排水ヘッダーを示す斜視図、図３は通気管接続口の断面図、図４は排水ヘッダーと通気管との接続部分の拡大断面図、図５は宅内排水桝の一部切欠側面図である。
【実施例１】
【００１７】
図１に示す床下配管の通気構造は、家屋の床下のコンクリート面１に合成樹脂製の排水ヘッダー２が設置され、この排水ヘッダー２の側面の各接続口２ｃには洗面台、台所、浴室、トイレなどの各水設備からの排水管（不図示）が接続されている。そして、排水ヘッダー２の下流側には下流側排水管３が接続され、上流側には上流側排水管４（主管となる排水管）が接続されている。この下流側排水管３は、複数の合成樹脂管３ａをエルボ継手３ｂによって接続したもので、コンクリート製の基礎（布基礎）６を貫通して、屋外に埋設された宅内排水桝７の下部の接続口７ｂに接続されている。上記排水ヘッダー２の上部には点検口２ａが設けられ、下流側排水管３に沿ってコンクリート製の基礎（布基礎）６を貫通する通気管５によって排水ヘッダー２上部の点検口２ａと宅内排水桝７の上部が連通されている。
【００１８】
上記の排水ヘッダー２は、図２に示すように、複数（図例では二つ）のポリ塩化ビニル等の合成樹脂製のヘッダー用継手２ｂを一列に並べて水密的に接続したもので、その側面には洗面台などからの排水管を接続する接続口２ｃが突設され、上面中央部には点検口２ａが形成されている。この点検口２ａにはキャップ２ｄが螺合されて開閉自在に取付けられており、このキャップ２ｄを外せば、内部を点検、掃除することができるようになっている。
【００１９】
上記の点検口２ａには、図３、図４に示すように、通気管接続口８が取付けられている。この通気管接続口８は、ポリ塩化ビニルなどの合成樹脂で成形された９０度の曲管部８ｆの一端には通気管５の受口部８ａが設けられ、他端にはフランジ部８ｅが設けられている。受口部８ａの内周面には２本のリング嵌着溝８ｂが設けられ、奥側の溝には円形のＯリングシール８ｃが嵌着され、手前側の溝には鈍角三角形の断面形状を有するロックリング８ｄが、鋭角の内周縁を受口部８ａの奥に向って突き出すように嵌着されている。Ｏリングシール８ｃは、通気管５を受口部８ａに差込み接続したときの気密性を高める役割を果たし、ロックリング８ｄは、通気管５の脱落を防止する働きをするものである。ロックリング８ｄは鈍角三角形の断面形状を有するので、通気管５の差込みはし易いが、引き抜くときは鋭角の内周縁が返しとなって通気管５に引っかかり、抵抗力を生むので、通気管５を脱落しないように確実に取付けることができる。
【００２０】
図４に示すように、上記の通気管接続口８の曲管部８ｆは、排水ヘッダー２のキャップ２ｄを貫通して上方へ突き出し、フランジ部８ｅは、点検口２ａの上端開口縁とキャップ２ｄに挟持固定されて、通気管接続口８が排水ヘッダー２に取付けられている。
【００２１】
また、排水ヘッダー２の上流側に接続されている上流側排水管４は、上述した下流側排水管３の合成樹脂管と同じものである。
【００２２】
宅内排水桝７は、ポリ塩化ビニルなどの合成樹脂で成形されたもので、その上部側壁には通気管接続口７ａが設けられ、下部には下流側排水管３の接続口７ｂと公共の下水管に通じる排水管の接続口が設けられている。この宅内排水桝７は、常に大気圧に保たれている。
【００２３】
宅内排水桝７の通気管接続口７ａも、通気管５の受口部７ｃに２本のリング嵌着溝７ｄが設けられ、奥側に円形のＯリングシール８ｃが嵌着され、手前側にロックリング８ｄが嵌着されているので、通気管５を気密的に且つ脱落しないように簡単、確実に差込み接続することができる。
【００２４】
上記の排水ヘッダー２と宅内排水桝７を連通させる通気管５は、可撓性を有するポリエチレン、軟質ポリ塩化ビニルなどの合成樹脂やポリオレフィン系エラストマーや合成ゴム等からなるもので、直径が１０〜６０ｍｍ程度の可撓管が好適に使用される。通気管５は、可撓管に限定されるものではないが、可撓管を用いると自由に曲げることができるので、施工性がより向上する。また、通気管５の直径も上記の範囲に限られるものではないが、１０ｍｍより小さくなると細過ぎて管内の圧力が即座に常圧に戻り難くなり、逆に６０ｍｍより太くなると配管スペースが増大して施工性が低下するといった不都合を生じるので、いずれも好ましくない。
【００２５】
この通気管５は、下流側排水管３に沿ってコンクリート製の基礎（布基礎）６を貫通し、その両端が排水ヘッダー２の点検口２ａに取付けられた通気管接続口８と、屋外の宅内排水桝７の上部の通気管接続口７ａにそれぞれ差込み接続されており、この通気管５によって排水ヘッダー２と宅内排水桝７を連通させている。
【００２６】
以上のような構成の床下配管の通気構造は、洗面台や台所などから大量の排水が排水ヘッダー２に集中し、下流側排水管３を閉塞して排水ヘッダー２から上流側の排水管路に負圧が生じたとしても、即座に宅内排水桝７より通気管５を通じて排水ヘッダー２に空気が吸い込まれるため、排水管路の圧力変動が即座に緩和、吸収されて常圧（大気圧）に戻される。従って、排水ヘッダー２から上流側の排水管路に生じる負圧によって、洗面台、台所その他の排水器具のトラップが封水破壊を起こすことがない。しかも、この通気構造は、排水ヘッダー２の上部に設けられた通気管接続口８と宅内排水桝の上部に設けられた通気管接続口７ａを通気管５で連通させるだけでよいから、施工が簡単で、大きい埋設スペースが不要であり、建物の外観が損なわれる心配もない。
【実施例２】
【００２７】
図６は本発明の他の実施形態に係る床下配管の通気構造の説明図である。
【００２８】
台所や洗面所などの水設備から排水ヘッダー２に接続する排水管の本数が多い場合は、１つの排水ヘッダー２では接続口２ｃが足らないため、複数の排水ヘッダーを設置する必要が生じる。この場合は、図６に示すように、２つの排水ヘッダー２、２を上流側排水管４によって直列に接続し、一方の排水ヘッダー２の点検口２ａに設けられた通気管接続口８と、もう一方の排水ヘッダー２の通気管接続口８に通気管５０を接続して、双方の排水ヘッダー２、２を通気管５０で連通させる構成とする。このようにすれば負圧が生じたときに、即座に宅内排水桝７より通気管５０を通じて一方の排水ヘッダー２に空気が吸い込まれ、同時にもう一方の排水ヘッダー２にも通気管５０によって空気が吸い込まれるため、排水管路の圧力変動が即座に緩和、吸収されて常圧（大気圧）に戻され封水破壊が防止される。この実施例の他の構成は前述した実施例１と同一であるから、図６において同一部材に同一符号を付し、説明を省略する。
【００２９】
尚、上記の実施例１、２の通気構造では、通気管５を下流側排水管３に沿わせて基礎６を貫通させているが、下流側排水管３に沿わせないで通気管５を別個に配管するようにしてもよい。また、実施例２の通気構造では、双方の排水ヘッダー２、２を排水管４で接続したが、排水ヘッダー２、２同士を直接接続してもよい。
【図面の簡単な説明】
【００３０】
【図１】本発明の一実施形態に係る床下配管の通気構造を示す説明図である。
【図２】排水ヘッダーを示す斜視図である。
【図３】通気管接続口の断面図である。
【図４】排水ヘッダーと通気管との接続部分の拡大断面図である。
【図５】宅内排水桝の一部切欠側面図である。
【図６】本発明の他の実施形態に係る床下配管の通気構造の説明図である。
【符号の説明】
【００３１】
２    排水ヘッダー
２ａ  点検口
３    下流側排水管
５、５０  通気管（可撓管）
６    コンクリート基礎（布基礎）
７    宅内排水桝
７ａ  通気管接続口
８    通気管接続口
８ｃ  Ｏリングシール
８ｄ  ロックリング
【図１】
2006016779.tif 000003
【図２】
2006016779.tif 000004
【図３】
2006016779.tif 000005
【図４】
2006016779.tif 000006
【図５】
2006016779.tif 000007
【図６】
2006016779.tif 000008